(57)【要約】【課題】刃物類等による事件の発生を抑制し、万引き等の犯罪の抑制をすることが可能な商品パッケージを提供することを課題とする。【解決手段】商品パッケージ１は、内部に商品収納部３が形成されたパッケージ本体部６と、商品取出口を閉塞する閉塞部から曲折された曲折部９ａ，９ｂを有する蓋部１０ａ、１０ｂと、パッケージ本体部６から延設された延出部１２ａ，１２ｂと、曲折部９ａ等及び延出部１２ａ等を積重するように当接させ、表裏から挟み込んで保持するホック鋲部２ａ，２ｂとを主に具備する。そして、店舗内での商品パッケージ１からの包丁４の取出しを防止することができる。【選択図】図１
2007191210.tif 000002
【特許請求の範囲】
【請求項１】
商品の収納される商品収納部を有するパッケージ本体部と、
前記パッケージ本体部の商品取出口を閉塞部、及び前記閉塞部の一端から曲折され、少なくとも一つの第一貫通孔が穿設された曲折部を有する蓋部と、
前記パッケージ本体部から延設され、前記蓋部の前記曲折部と当接した状態で前記第一貫通孔に相対する位置に穿設された第二貫通孔を有する延出部と、
互いに相対して位置する前記第一貫通孔及び前記第二貫通孔に挿入される挿軸部、及び前記挿軸部の両軸端に設けられた一対の挟止部を有し、前記延出部及び前記曲折部を挟止する樹脂製のホック鋲部と
を具備することを特徴とする商品パッケージ。
【請求項２】
商品の収納される略筐体状の商品収納部、及びパッケージ前面部及び前記パッケージ後面部を貫設する一対の第二貫通孔を有するパッケージ本体部と、
前記パッケージ本体部の商品取出口を閉塞部、及び前記閉塞部の一端から前記パッケージ本体部の内側に曲折され、前記パッケージ後面部に設けられた前記第二貫通孔と相対する第一貫通孔が穿設された曲折部を有する蓋部と、
前記パッケージ前面部に設けられた第二貫通孔、互いに相対して位置する前記第一貫通孔及び前記パッケージ後面部の前記第二貫通孔に前記商品収納部の一部を貫通して挿入される挿軸部、及び前記挿軸部の両軸端に設けられた一対の挟止部を有し、前記パッケージ前面部及び前記パッケージ後面部の間で前記曲折部の移動を禁止する樹脂製のホック鋲部と
を具備することを特徴とする商品パッケージ。
【請求項３】
収納する商品または商品を格納する商品トレーの少なくとも一部の外観形状に略一致するように膨張させた収納空間を有するブリスター包装型の商品パッケージであって、
前記収納空間の形成された商品収納部及び前記商品収納部の周囲に形成され、少なくとも一つの第一貫通孔が穿設された収納基部を有する収納本体部と、
前記収納基部と当接した状態で前記第一貫通孔と相対する位置に穿設された第二貫通孔を有し、前記収納本体部に取付けられる平板状の基台部と、
互いに相対して位置する前記第一貫通孔及び前記第二貫通孔に挿入される挿軸部、及び前記挿軸部の両軸端に設けられた一対の挟止部を有し、前記収納本体部及び前記基台部を挟止する樹脂製のホック鋲部と
を具備することを特徴とする商品パッケージ。
【請求項４】
前記ホック鋲部によって挟止される延出部及び曲折部の間、パッケージ後面部及び曲折部の間、または収納本体部及び基台部の少なくともいずれか一つに手指が挿入されることを防止する手指挿入防止部をさらに具備することを特徴とする請求項１乃至請求項３のいずれか一つに記載の商品パッケージ。
【請求項５】
前記ホック鋲部は、
前記挿軸部、及び前記挿軸部の一端に取設され、前記第一貫通孔及び前記第二貫通孔より広径に形成された軸頭部を有するオス鋲部と、
前記挿軸部の軸先端径よりも少なくとも一部が狭径のリング孔径を有し、弾性変形によって前記挿軸部に嵌合されるリング状のメス鋲部と
をさらに具備して構成され、
前記挿軸部は、
前記軸先端径よりも略中央付近が縮径し、前記メス鋲部が嵌合される凹溝部を有し、
前記凹溝部に嵌合された前記メス鋲部の嵌合方向と逆方向への移動を規制し、嵌合状態の解除を禁止する解除禁止手段と
をさらに具備することを特徴とする請求項１乃至請求項４のいずれか一つに記載の商品パッケージ。
【請求項６】
前記パッケージ本体部及び前記蓋部は、
一枚の樹脂製のシート部材から形成されていることを特徴とする請求項１または請求項２に記載の商品パッケージ。
【請求項７】
前記商品収納部に収納される前記商品は、
刃物類及び工具類の少なくともいずれか一方であることを特徴とする請求項１乃至請求項６のいずれか一つに記載の商品パッケージ。
【発明の詳細な説明】
【技術分野】
【０００１】
本発明は、商品パッケージに関するものであり、特に、商品の外観を被覆し、運搬時や商品陳列時に商品の傷付きを防止するとともに、店舗等においてそのまま陳列可能な商品パッケージに関するものである。
【背景技術】
【０００２】
従来から、デパート、ショッピングセンター、家電等各種小売量販店、またはホームセンターなどの種々の業態または各種の商品を取扱う店舗において、消費者に対して購買意欲を高めさせるために商品の陳列に種々の趣向を凝らすことが行われている。ここで、これらの店舗において商品が陳列される場合、商品の外観形状やサイズ、或いは色等を容易に把握可能とするとともに、商品の表面に傷等が付かないように傷付きを防止する目的で、所謂「ブリスター包装（ブリスターパッケージ）」と呼ばれる商品パッケージが多く採用されている。このブリスター包装とは、商品の外観形状に略一致するように膨張させ、略諜報形状の少なくとも一辺（一般には、三辺、或いは四辺）を折曲げ、レール状に形成したレール部を有するプラスチック製シートと、該プラスチック製シートのレール部に摺動或いは挟込等によって保持される厚紙とによって主に構成されている。これにより、商品の取出し及び収納（格納）が容易となるとともに、商品の外観形状等の視認性を損なうことが小さくなる。一方、ブリスター包装に使用されるプラスチック製シートと略同様の素材を利用し、一枚のプラスチック製シートを折畳み、立体的な筐体状に形成し、該筐体内に商品を収納可能とする商品パッケージも製造されている。なお、これらのブリスター包装等の各種商品パッケージの中には、店舗での陳列個数をできるだけ多くするために、フックなどに引っ掛けて吊下げ支持することのできる吊下げ支持タイプの商品パッケージも知られている。
【０００３】
このとき、従来のブリスター包装等によって収納された商品が、商品の製造工場から店舗に至るまでの流通・配送段階において、或いは店舗での陳列時に不用意に飛出することを防止するために、或いは万引き等の犯罪行為を未然に防ぐ目的で、プラスチック製シート及び厚紙または筺体状に形成された商品パッケージの商品取出口を閉塞する蓋部をセロハンテープやステープル等の既知の固定手段で固定することが行われている。
【０００４】
以上の従来技術は、当業者として当然に実施されているものであり、本願出願人は、係る従来技術が記載された文献等を本願出願時において特に知見するものではない。
【発明の開示】
【発明が解決しようとする課題】
【０００５】
しかしながら、上記に掲げた従来型の商品パッケージでは、下記に掲げるような問題を生じることがあった。すなわち、近年の社会構造の変化に伴って、従来では想到することのできない各種の犯罪が増加する傾向がある。例えば、上述したショッピングセンター等の商品を小売りする店舗では、売場に陳列されている包丁などの刃物類の商品を、商品パッケージから取出し、そのまま付近に買い物客に向けて脅したり、最悪のケースでは係る商品を利用してケガをさせるなどの事件も発生している。そのため、特に、包丁などの刃物類を取扱うショッピングセンター、或いは工具類を取扱うホームセンター等、人体に危害を加える可能性の高い商品を販売している店舗では、これらの商品の店舗内での取扱いに注意し、及び上記事件を未然に防ぐための対策などを講じる必要性があった。
【０００６】
ところが、ブリスター包装等の商品パッケージでは、前述したように、セロハンテープやステープル等で止めた箇所を手で容易に解除する（取り外す）ことができ、収納された包丁などの取扱いに注意を要する商品を簡単に取出すことができてしまった。そのため、商品パッケージに収納された商品を通常の店舗内では取出すことが困難、或いは取出し難い構造にした商品パッケージを構築し、購入者が自宅に戻り、ハサミやカッター等の比較的簡易な切断工具を利用して商品を取出すことのできるものを望み、店舗等で自らが販売している商品を利用した傷害事件等の発生を極力抑えることができる商品パッケージを期待する声が大きかった。
【０００７】
加えて、万引き等の犯罪や不正行為を行い場合でも、ブリスター包装のままでは比較的嵩張り、カバンなどに隠すことが難しいため、従来はブリスター包装から取出した状態で店舗外へ商品を持ち出すケースが従来は多く行われていた。そのため、ブリスター包装等から商品を取出しにくい構成とすることにより、万引き等の犯罪の発生件数を抑制し、窃盗による被害金額を抑えることが可能であると期待されていた。
【０００８】
そこで、本発明は、上記実情に鑑み、店舗内における刃物類等の商品の取出しを困難にし、刃物類等による事件の発生を抑制し、かつ万引き等の不正行為の発生を抑えることが可能な商品パッケージの提供を課題とするものである。
【課題を解決するための手段】
【０００９】
上記の課題を解決するため、本発明の商品パッケージは、「商品の収納される商品収納部を有するパッケージ本体部と、前記パッケージ本体部の商品取出口を閉塞部、及び前記閉塞部の一端から曲折され、少なくとも一つの第一貫通孔が穿設された曲折部を有する蓋部と、前記パッケージ本体部から延設され、前記蓋部の前記曲折部と当接した状態で前記第一貫通孔に相対する位置に穿設された第二貫通孔を有する延出部と、互いに相対して位置する前記第一貫通孔及び前記第二貫通孔に挿入される挿軸部、及び前記挿軸部の両軸端に設けられた一対の挟止部を有し、前記延出部及び前記曲折部を挟止する樹脂製のホック鋲部と」を具備するものから主に構成されている。
【００１０】
したがって、本発明の商品パッケージによれば、蓋部の曲折部とパッケージ本体部から延設された延出部とがホック鋲部によって当接した状態で挟止されている。このため、従来のテープ類やステープルと異なり、ホック鋲部による挟止めによって曲折部及び延出部が強固に固定され、容易にこの状態を解除することができなくなる。
【００１１】
ここで、ホック鋲部とは、包装用資材として市販されているポリアセタール樹脂製或いはポリエチレン樹脂製等から形成され、特に二種以上の平板状の部材を表裏から挟み込み、部材の積層状態を維持することができるものである。なお、樹脂製のホック鋲部は、主に二つの部材から構成され、挟止めの際に双方を弾性変形させることによって挟止状態にするものである。そのため、ホック鋲部による挟止状態を解除することは、再び双方を弾性変形させる必要があり、一般的に手では容易に解除することができない。そのため、係る樹脂製のホック鋲部を商品パッケージに採用することにより、店舗に陳列された商品を商品パッケージからカッターやハサミ等の切断工具をしないで取出すことが困難となる。そのため、悪意者による不正な商品の取出し及び傷害等の犯罪事件等に商品を利用する可能性が低くなる。なお、パッケージ本体部、蓋部、及び延出部を形成する素材は、特に限定されないが、立体的な筺体状の商品パッケージを折畳んで形成するために、ポリエチレンテレフタレート樹脂のような樹脂製のシート部材、或いは紙素材からなるものを用いることが好適である。なお、収納された商品を視認しやすくするために、樹脂製のシート部材の場合は、透明性状を呈する素材を用いるものが特に好適である。
【００１２】
一方、本発明の商品パッケージは、商品の収納される略筐体状の商品収納部、及びパッケージ前面部及び前記パッケージ後面部を貫設する一対の第二貫通孔を有するパッケージ本体部と、前記パッケージ本体部の商品取出口を閉塞部、及び前記閉塞部の一端から前記パッケージ本体部の内側に曲折され、前記パッケージ後面部に設けられた前記第二貫通孔と相対する第一貫通孔が穿設された曲折部を有する蓋部と、前記パッケージ前面部に設けられた第二貫通孔、互いに相対して位置する前記第一貫通孔及び前記パッケージ後面部の前記第二貫通孔に前記商品収納部の一部を貫通して挿入される挿軸部、及び前記挿軸部の両軸端に設けられた一対の挟止部を有し、前記パッケージ前面部及び前記パッケージ後面部の間で前記曲折部の移動を禁止する樹脂製のホック鋲部と」を具備して主に構成されている。
【００１３】
したがって、本発明の商品パッケージは、曲折部をパッケージ本体部の内側に曲折させ、曲折部とパッケージ本体部のパッケージ前面部及びパッケージ後面部にホック鋲部を貫通させ、内側に曲折された曲折部によって商品取出口が開口しないような構成を有して構成されている。すなわち、前述した商品パッケージと異なり、延出部に係る構成を必要とすることがない。また、使用されるホック鋲部の挿軸部は、パッケージ本体部の本体厚以上の長さのものが必要とされることは言うまでもない。これにより、略筐体状の商品パッケージからの手のみでの商品の取出しが困難となる。
【００１４】
一方、本発明の商品パッケージは、「収納する商品または商品を格納する商品トレーの少なくとも一部の外観形状に略一致するように膨張させた収納空間を有するブリスター包装型の商品パッケージであって、前記収納空間の形成された商品収納部及び前記商品収納部の周囲に形成され、少なくとも一つの第一貫通孔が穿設された収納基部を有する収納本体部と、前記収納基部と当接した状態で前記第一貫通孔と相対する位置に穿設された第二貫通孔を有し、前記収納本体部に取付けられる平板状の基台部と、互いに相対して位置する前記第一貫通孔及び前記第二貫通孔に挿入される挿軸部、及び前記挿軸部の両軸端に設けられた一対の挟止部を有し、前記収納本体部及び前記基台部を挟止する樹脂製のホック鋲部と」を主に具備して構成されている。
【００１５】
ここで、ブリスター包装とは、前述したように商品等の外観形状に応じて膨張させた商品収納部を有するものであり、商品を包装し、陳列する際に使用されている最も一般的な態様のものである。
【００１６】
したがって、本発明の商品パッケージによれば、既存のブリスター包装型の商品パッケージの収納本体部及び基台部の当接状態を維持し、商品を容易に取出さないために、第一貫通孔及び第二貫通孔に挿入された挿軸部を有するホック鋲部が用いられる。ここで、ブリスター包装の商品パッケージは、商品等の外観形状に合わせて膨張された収納空間を有する商品収納部の周囲に、必ず基台部に相当する台紙（厚紙）と当接する当接面を有する収納基部が形成されている。そのため、係る収納基部及び台紙にそれぞれ第一貫通孔及び第二貫通孔を設けることにより、従来は使用されていなかったスペースを有効に活用し、当接状態を維持することが可能となる。
【００１７】
さらに、本発明の商品パッケージは、上記構成に加え、「前記ホック鋲部によって挟止される延出部及び曲折部の間、パッケージ後面部及び曲折部の間、または収納本体部及び基台部の少なくともいずれか一つに手指が挿入されることを防止する手指挿入防止部を」具備するものであっても構わない。
【００１８】
したがって、本発明の商品パッケージによれば、ホック鋲部によって当接された延出部及び曲折部等の間に手指を挿入し、当接状態を解除しようとする動作を防ぐ手指挿入防止部が設けられている。ここで、具体的に説明すると、手指挿入防止部は、例えば、商品パッケージを形成する際に、商品パッケージを構成する樹脂製のシート部材を利用し、延出部及び曲折部の互いの辺縁を該シート部材によって被覆するものや、シート部材を折返すことにより、収納本体部及び基台部の辺縁が係る折返された部位で構成されるようにすることが想定される。
【００１９】
さらに、本発明の商品パッケージは、上記構成に加え、「前記ホック鋲部は、前記挿軸部、及び前記挿軸部の一端に取設され、前記第一貫通孔及び前記第二貫通孔より広径に形成された軸頭部を有するオス鋲部と、前記挿軸部の軸先端径よりも少なくとも一部が狭径のリング孔径を有し、弾性変形によって前記挿軸部に嵌合されるリング状のメス鋲部とをさらに具備して構成され、前記挿軸部は、前記軸先端径よりも略中央付近が縮径し、前記メス鋲部が嵌合される凹溝部を有し、前記凹溝部に嵌合された前記メス鋲部の嵌合方向と逆方向への移動を規制し、嵌合状態の解除を禁止する解除禁止手段と」を具備するものであっても構わない。
【００２０】
したがって、本発明の商品パッケージによれば、挿軸部に取設された軸頭部を有するオス鋲部と、挿軸部に嵌合されるメス鋲部とによって曲折部及び延出部等の当接状態が保持される。なお、軸頭部及びメス鋲部がそれぞれ前述の一対の挟止部に相当する。さらに、本発明に使用されるホック鋲部は、メス鋲部の嵌合方向とは逆方向への移動を規制する解除禁止手段が設けられている。すなわち、弾性変形によって嵌合されたメス鋲部は、再び弾性変形させたとしても嵌合を解除することができない仕掛けが施されている。例えば、軸径が縮径した凹溝部の溝壁部分をメス鋲部の嵌合方向に若干傾斜させる構成とすることにより、嵌合方向と逆方向への移動が規制され、一度、凹溝部に嵌合されたメス鋲部は、かかる嵌合状態を容易に解除することができなくなる。すなわち、解除が禁止されることとなる。その結果、一度、凹溝部と嵌合した第二挟止部は二度と元に戻らなくなり、係る部位をハサミ等の切断工具で切断するしかない。すなわち、ホック鋲部によって曲折部及び延出部が当接状態にされたものは、該ホック鋲部を破壊しないかぎり、係る当接状態を解除することができない。そのため、店舗内等で商品を取出すことができる可能性が低くなる。
【００２１】
さらに、本発明の商品パッケージは、上記構成に加え、「前記パッケージ本体部、前記蓋部、及び前記延出部は、一枚の樹脂製のシート部材から形成されている」ものであっても構わない。
【００２２】
したがって、本発明の商品パッケージによれば、一枚のシート部材を利用し、予め指定された折曲線に従って折曲げることにより、立体的な商品収納部を有する商品パッケージを構築することが可能となる。
【００２３】
さらに、本発明の商品パッケージは、上記構成に加え、「前記商品収納部に収納される前記商品は、刃物類及び工具類の少なくともいずれか一方である」ものであっても構わない。
【００２４】
したがって、本発明の商品パッケージによれば、ホック鋲部によって蓋部の曲折部と延出部との当接状態が強固に保持されるため、手などによって容易に商品収納部から商品を取出すことができない。特に、包丁、カッター、のこぎり、ハサミ等の刃物類、或いはドリル刃、ドライバー、ノミ、キリ等の工具類を商品として本発明の商品パッケージに収納することにより、店舗内等における傷害事件に該商品が使用される可能性が低くなる。
【発明の効果】
【００２５】
本発明の効果として、樹脂製のホック鋲部を利用し、曲折部及び延出部を表裏から挟止めし、当接させることができる。特に、オス鋲部及びメス鋲部からなるホック鋲部は、一度嵌合されると、手では簡単に嵌合状態を解除することができなくなるため、商品収納部からの商品の取出しを防止することができる。その結果、店舗内における包丁等の刃物類或いは工具類を利用した傷害事件等の発生を未然に防止することが可能となる。加えて、商品パッケージに収納されたままの商品は、比較的嵩張るため、万引き等の不正行為を抑止することも可能となる。
【発明を実施するための最良の形態】
【００２６】
以下、本発明の第一実施形態である商品パッケージ１について、図１乃至図４に基づいて説明する。ここで、図１は第一実施形態の商品パッケージの構成を示す正面図であり、図２は商品パッケージ１の構成を示す右側面図であり、図３は商品パッケージ１の構成を示す展開図であり、図４（ａ）は当接状態を示す要部拡大断面図であり、（ｂ）ホック鋲部２ａ，２ｂの概略構成を示す説明図である。ここで、第一実施形態の商品パッケージ１は、商品収納部３に商品として包丁４を収納するものとし、ホームセンター等の店舗内に吊下げ支持されて陳列されるケースについて説明を行うものとする。
【００２７】
本実施形態の商品パッケージ１は、図１乃至図４に示すように、上端及び下端のそれぞれに商品取出口５ａ，５ｂを有し、商品収納部３が形成された略筐体形状（略直方体形状）のパッケージ本体部６と、パッケージ本田部６の上部商品取出口５ａを閉塞する上部閉塞部７ａ及び上部閉塞部７ａの端部８から曲折された上部曲折部９ａを有する上蓋部１０ａと、同様に下部商品取出口５ｂを閉塞する下部閉塞部７ｂ及び下部閉塞部７ｂの端部８から曲折された下部曲折部９ｂを有する下蓋部１０ｂと、パッケージ本体部６の上端から延設された上部延出部１２ａと、パッケージ本体部６の下端から延設された下部延出部１２ｂと、上部曲折部９ａ及び上部延出部１２ａを積重するように当接させ、表裏（表：図２における紙面左方に相当、裏：図２における紙面右方に相当）から挟み込んで保持する左右一対の上部ホック鋲部２ａと、下部曲折部９ｂ及び下部延出部１２ｂを積重するように当接させ、表裏（上記と同様）から挟み込んで保持する左右一対の下部ホック鋲部２ｂとを具備している。
【００２８】
さらに詳細に説明すると、蓋部１０ａ，１０ｂの曲折部９ａ，９ｂには、それぞれ一対の第一貫通孔１６が穿設されている。一方、延出部１２ａ，１２ｂには、曲折部９ａ，９ｂと積重するように当接した際に、上記の第一貫通孔１６と相対する位置に、略同径の第二貫通孔１７がそれぞれ第一貫通孔１６に相対するように穿設されてる。なお、図４（ａ）に示すように、上部延出部１２ａは、上端１８ａで折返しが行われ、上部シート部材１９ａ及び下部シート部材１９ｂの間に上部曲折部９ａが挟まれた状態で構成されている。そのため、第二貫通孔１７は上下に重なった二層構造の上部延出部１２ａを構成するシート部材１９ａ，１９ｂに対してそれぞれ設けられている。すなわち、組立て前の上部延出部１２ａには計４つの第二貫通孔１７が設けられている（図３参照）。なお、下部延出部１２ｂも同様に下端１８ｂで折返され、下部曲折部９ｂをシート部材１９ａ，１９ｂで挟んだ状態で形成されている。
【００２９】
一方、曲折部９ａ等及び延出部１２ａ等が積重し、当接した状態を保持するためのホック鋲部２ａ，２ｂについて、具体的に説明すると、図４に示すように、第一貫通孔１６及び第二貫通孔１７よりも小さい狭径の軸端２０を有し、軸端２０から僅かにテーパー状に形成された挿軸部２１、及び挿軸部１２の他端（軸端２０と相対する端に相当）に取設された略円板形状の軸頭部２２を有するオス鋲部１４と、挿軸部２１の軸径よりも小さいリング孔径２３を有し、弾性変形によって挿軸部２１に嵌合される円環状（リング状）のメス鋲部２４とによって主に構成されている。ここで、挿軸部２１及び軸頭部２２のオス鋲部１４、及びメス鋲部２４は、いずれもポリエチレン樹脂やポリプロピレン樹脂などの応力に対して比較的強い力学的特性を有する樹脂によって形成されている。そして、挿軸部２１及び軸頭部２２のオス鋲部１４は、金型によって一体化して成型され、一方、メス鋲部２４はオス鋲部１４に対して独立して成型されている。すなわち、ホック鋲部２ａ，２ｂは、それぞれ二つの部材によって構成されている。
【００３０】
さらに、挿軸部２１は、図４（ａ）及び図４（ｂ）に示すように中央が軸端２０よりも縮径した凹溝部２５を有して構成されている。さらに、前述したように、軸端２０から凹溝部２５に向かうに従って軸径が拡開するようにテーパ状に形成され、さらに凹溝部２５の溝壁１５はメス鋲部２４の嵌合方向に向かって僅かに傾斜して形成されている（図４（ｂ）参照）。ここで、上部閉塞部７ａ及び下部閉塞部７ｂが本発明の閉塞部に相当し、上部曲折部９ａ及び下部曲折部９ｂが本発明の曲折部に相当し、上蓋部１０ａ及び下蓋部１０ｂが本発明の蓋部に相当し、上部延出部１２ａ及び下部延出部１２ｂが本発明の延出部に相当し、軸端２０がテーパ形状に形成された挿軸部２１及び凹溝部２５の溝壁１５が本発明における解除禁止手段に相当する。
【００３１】
加えて、第一実施形態の商品パッケージ１は、その他の構成として、曲折部９ａ，９ｂ及び延出部１２ａ，１２ｂの辺縁をカバーするガード部材３１がそれぞれ取付けられている。さらに、折返される上部延出部１２ａの先端には挿込片３２が設けられ、一方、上部蓋部１０ａの上部閉塞部７ａ及び上部曲折部９ａの曲折部分には、該挿込片３２が挿入される挿込孔３３が設けられている。なお、同様に下部曲折部９ｂ及び下部延出部１２ｂにも挿込片３２及び挿込孔３３の構成が設けられている。ここで、ガード部材３１が第一実施形態の手指挿入防止部に相当する。
【００３２】
さらに、本実施形態の商品パッケージ１は、その他の構成として、該商品パッケージ１を店舗等に吊下げ支持し、ディスプレイするための吊下用の吊下孔２６が上部延出部１２ａのシート部材１９ａ、１９ｂにそれぞれ設けられている。なお、実際の使用においては、略直方体形状に形成された商品収納部３の内部に、商品としての包丁４が商品収納部３内で移動することを防ぐために、包丁４の形状に繰抜かれた商品トレー部（図示しない）が挿入されている。これにより、係る商品トレー部及びパッケージ本体部６の間で包丁４を保持し、係る商品収納部３内での商品の移動を不可能なものとしている。
【００３３】
ここで、パッケージ本体部６、蓋部１０ａ，１０ｂ、及び延出部１２ａ，１２ｂは、ポリエチレンテレフタレート樹脂をシート状にした一枚の透明の部材によって構成されている（図３参照）。そして、これを予め規定した折曲線２８に沿って９０°ずつ折曲げることにより、立体的な筺形状のパッケージ本体部６等を有する商品パッケージ１を構成することができる。ここで、上蓋部１０ａの曲折部９ａは、図４（ａ）に示すように、通常の筺形状のパッケージを製作する場合と異なり、商品取出口５ａを閉塞する上部閉塞部７ａに対して９０°外側に向かって、換言すると上部延出部１２ａの側に向かって曲折されている。なお、同様に下部曲折部９ｂも外側に向かって曲折されている。なお、上部延出部１２ａの上端１８については、前述したように１８０°曲折され、折返された状態となっており（図４（ａ）参照）、同様に下部延出部１２ｂも下部曲折部９ｂの周囲を包み込むようにした折畳まれている（図示しない）。なお、係る組み立て作業を行う前に包丁４を予め商品収納部３に相当する箇所に収納しておく必要があることは当然のことである。
【００３４】
そして、折曲線２８に沿って所定方向に曲折した後に、上部曲折部９ａの第一貫通孔１６と上部延出部１２ａの第二貫通孔１７の位置を合わせ、さらに第一挟止部２２と取設した挿軸部２１を軸端２０から係る第一貫通孔１６及び第二貫通孔１７に挿入する。これにより、挿軸部２１によって上部曲折部９ａ及び上部延出部１２ａが互いに横方向（図４（ａ）における紙面左右方向に相当）に移動する動きが規制される。そして、貫通孔１６，１７に挿入された挿軸部２１の軸端２０にメス鋲部２４の内径部２９を合わせ、上部曲折部９ａ及び上部延出部１２ａを挟込むようにして軸端２０から凹溝部２５に向かう嵌合方向に力を加える。ここで、メス鋲部２４の内径部２９は、軸端２０よりも狭径に形成されているため、上記操作を行うことにより、樹脂製のメス鋲部２４は弾性変形し、徐々にそのリング孔径を拡げながら凹溝部２５まで到達する。このとき、軸端２０はテーパ形状に形成されているため、係る操作はさらに行い易くなる。
【００３５】
その後、メス鋲部２４は、軸端２０よりも縮径した凹溝部２５に到達すると、弾性復帰し、元のリング孔径に戻る。その結果、メス鋲部２４が挿軸部２１に嵌合することとなる。このとき、軸頭部２２及びメス鋲部２４は、いずれも貫通孔１６，１７の孔径よりも大きな径の円板体として形成されているため、ホック鋲部２ａ，２ｂによって上部曲折部９ａ及び上部延出部１２ａを積層するように当接させた状態が保持される。加えて、メス鋲部２４の嵌合を解除しようとしても凹溝部２５の溝壁１５、すなわち、軸径が変化する箇所でメス鋲部２４の内径部２９が引っ掛かるため、嵌合方向に傾斜した溝壁１５を乗り越えて挿軸部２１から外れることができない。また、リング孔径を拡径しようとすることも困難である。したがって、一度、嵌合状態になったホック鋲部２ａを再び元の二つの構成部材に戻すことは不可能である。そのため、上述した当接状態が継続して保持される。すなわち、ホック鋲部２ａを破壊しない限り、係る保持を解除することができない。さらに、残りの３箇所に対して、上記と同様の操作を行うことにより、商品（包丁４）を商品収納部３に収容した状態で商品パッケージ１が完成する。
【００３６】
以上説明したように、第一実施形態の商品パッケージ１は、ホック鋲部２ａ，２ｂによって、曲折部９ａ等及び延出部１２ａ等を積重し、当接した状態を保持することが可能となる。これにより、包丁４を陳列した場合であっても、容易に取り出すことができなくなる。そのため、包丁４を利用して店舗内で傷害事件等が発生する可能性を低く抑えることができる。さらに、商品パッケージ１は、包丁４に比して嵩張る容積を有するものであり（図１参照）、万引き等の不法行為を未然に防ぐ抑止効果を併せて有している。
【００３７】
次に、本発明の第二実施形態の商品パッケージ４０について、図５に基づいて説明する。なお、第二実施形態の商品パッケージ４０において、前述した第一実施形態の商品パッケージ１と略同一の構成を有するものは、同一番号を付し、説明を省略するものとする。ここで、図５は商品パッケージ４０の構成を示す要部拡大断面図である。また、図５において、商品パッケージ４０の上部近傍を図示したが、同様に下部近傍も同様の構成を有している。
【００３８】
図５に示すように商品パッケージ４０は、全体が筐体状に形成されている。そして、包丁等の刃物類の商品（図示しない）を収納する商品収納部３を有するパッケージ本体部４１と、パッケージ本体部４１の上部商品取出口４２を閉塞する上部閉塞部４３及び上部閉塞部４３の一端からパッケージ本体部４１の方向に曲折された上部曲折部４４を有する上蓋部４５と、パッケージ本体部４１のパッケージ前面部４６、パッケージ後面部４７、及び上部曲折部４４を貫通する挿軸部４８を有するホック鋲部４９とを具備して主に構成されている。
【００３９】
さらに、詳細に説明すると、パッケージ本体部４１のパッケージ前面部４６及びパッケージ後面部４７には、互いに相対するように第二貫通孔５０が穿設されている。一方、上部蓋部４５の上部曲折部４４には、パッケージ後面部４７と当接した際に第二貫通孔５０と相対する位置に第一貫通孔５１が穿設されている。そして、係る第一貫通孔５１及び第二貫通孔５０を貫き通すようにホック鋲部４９の挿軸部４８が挿入されている。すなわち、この挿軸部４８はパッケージ本体部４１の厚さ、換言すれば、商品パッケージ４０のパッケージ厚さよりも僅かに長く、パッケージ後面部４７から一部が突出した状態となっている。なお、挿軸部４８の一端には軸頭部２２が設けられ、オス鋲部５２が形成されている。一方、挿軸部４８に嵌合可能にメス鋲部２４が設けられている。なお、オス鋲部５２及びメス鋲部２４からなるホック鋲部４９による嵌合及び嵌合状態の解除の詳細については既に説明したため、ここでは詳細な説明は省略する。
【００４０】
以上説明したように、第二実施形態の商品パッケージ４０は、第一実施形態の商品パッケージ１と比較し、第二貫通孔１７を有する延出部１２ａ等に係る構成を有さず、代わりに第二貫通孔５０がパッケージ前面部４６及びパッケージ後面部４７に設けられ、商品パッケージ４０の商品収納部３を貫くようにしてホック鋲部４９が取付けられているものである。これにより、上記の商品パッケージ４０と同様に、ホック鋲部４９のオス鋲部５２とメス鋲部２４とが弾性変形によって嵌合し、手では係る嵌合が容易に解除することができなくなる。そのため、店舗等で陳列された場合でも不正に商品の取出がなされる可能性を軽減することができる。その結果、店舗内の商品を使用した傷害事件等の発生、或いは万引き等の犯罪行為を抑止することができる。さらに、第一実施形態の商品パッケージ１のように、延出部１２ａ等が必要とならないため、筐体状の包装に適した商品に特に有効である。なお、当然のことながら、従来のように店舗に吊下げて陳列されるような場合は、通常の吊下タイプの包装のように吊下孔を有する延出部を設けるものであってももちろん構わない。
【００４１】
次に、本発明の第三実施形態の商品パッケージについて説明する。なお、第三実施形態の商品パッケージの要部構成は、前述した第一実施形態及び第二実施形態の商品パッケージ１等と略同一であるため、ここでは説明を簡略化するために図示を省略する。すなわち、第三実施形態の商品パッケージは、第一実施形態等の商品パッケージ１等と比して、商品（例えば、包丁４）を収納する商品収納部が商品等の外観形状に略一致するように膨張させて形成した収納空間を有するブリスター包装型の商品パッケージとして構成されているものである。
【００４２】
したがって、第三実施形態の商品パッケージは、商品収納部の周囲に形成され、第一実施形態等の商品パッケージ１等と略同一の第一貫通孔が穿設された平板状の収納基部を有する収納本体部と、収納基部と当接した状態で第一貫通孔に相対する位置に穿設された第二貫通孔を有し、平板状の厚紙によって構成される基台部とを具備して構成されている。そして、第一貫通孔及び第二貫通孔に前述のホック鋲部が取付けられ、収納本体部及び基台部を挟込むようにして係る当接状態を保持することが行われる。これにより、収納本体部と基台部との当接状態がホック鋲部によって保持される。そして、ホック鋲部を手の力のみで解除することはできないため、上記の第一実施形態及び第二実施形態の商品パッケージと同様の効果を奏することができる。さらに、ブリスター包装は、一般的に使用されている技術であり、既存の製造設備をそのまま流用し、第一貫通孔及び第二貫通孔をそれぞれ設け、ホック鋲部を取付けるだけの簡単な設計変更によって大きな効果を得ることができる。すなわち、設計変更によって製造コストが増加するような問題を生じることがない。
【００４３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４４】
すなわち、第一実施形態乃至第三実施形態において、それぞれ筐体状の商品パッケージ或いはブリスター包装型の商品パッケージの一例を示したがこれに限定されるものではなく、ホック鋲部を既存の商品パッケージの態様に応用することも可能である。すなわち、ブリスター包装型と同様に多く用いられている所謂「ダブルパック型」の商品パッケージに適用することも可能である。これは、樹脂製のシート部材を略中央付近で折畳み可能に形成され、商品を周囲から挟込んで包装するものである。そのため、少なくとも一部において互いに対向するシート部材が当接している箇所が存在する。そこで、係る当接部位にそれぞれ第一貫通孔及び第二貫通孔を設け、さらに第一実施形態等の商品パッケージ１で用いたホック鋲部２ａ，２ｂで少なくとも一箇所を挟止めすることにより、上記実施形態と同様の効果を得ることができる。
【００４５】
或いは、通常の商品パッケージ（パッケージ本体部）の周囲に消しゴムケースのような両端が開放されたケース部を設け、該ケース部の前面及び後面を貫通するようにホック鋲部を取付けたものであっても構わない。すなわち、第二実施形態の商品パッケージ４０において、上蓋部４５及び下蓋部（図示しない）を除去した構成のケース部を作成し、該ケース部の互いの両端にそれぞれ取付けられたホック鋲部４９の間に既存の商品パッケージ、換言すれば、開封防止対策のなされていない商品パッケージ（パッケージ本体部等）を収容する構成にすることもできる。これにより、ホック鋲部４９によって内部の商品パッケージに手指が到達することができなくなり、商品の取出しが困難となる。
【００４６】
また、第一実施形態等の商品パッケージ１等において、商品収納部３に収納される商品として、包丁４を例示したが、もちろんこれに限定されるものではない。すなわち、店舗等に陳列した際に、不正に商品を取出し、店舗内で買い物客を傷つける等の可能性の高いナイフ、カッター、ハサミ等の刃物類、或いはノコギリ、キリ、ドリル、及びドライバー等の工具類、カマ等の農機具類等に対して適用することが可能となる。この場合、個々の商品のサイズ及び形状に合わせて商品パッケージを任意のサイズ等にすることは当然である。
【００４７】
さらに、上記刃物類や工具類等以外にも、市場に流通している全ての商品に対して適用することも可能である。これにより、商品を取出し、比較的嵩を低くした状態でカバンの中に入れる万引き等の犯罪行為を未然に防ぐこともできるようになる。
【図面の簡単な説明】
【００４８】
【図１】商品パッケージの構成を示す正面図である。
【図２】商品パッケージの構成を示す右側面図である。
【図３】商品パッケージの構成を示す展開図である。
【図４】（ａ）保持状態を示す要部拡大断面図であり、（ｂ）ホック鋲部の構成を示す説明図である。
【図５】商品パッケージの構成を示す要部拡大断面図である。
【符号の説明】
【００４９】
１，４０  商品パッケージ
２ａ  上部ホック鋲部（ホック鋲部）
２ｂ  下部ホック鋲部（ホック鋲部）
３  商品収納部
４  包丁（商品）
５ａ，４２  上部商品取出口（商品取出口）
５ｂ  下部商品取出口（商品取出口）
６，４１  パッケージ本体部
７ａ，４３  上部閉塞部（閉塞部）
７ｂ  下部閉塞部（閉塞部）
８  端部
９ａ，４４  上部曲折部（曲折部）
９ｂ  下部曲折部（曲折部）
１０ａ，４５  上蓋部（蓋部）
１０ｂ  下蓋部（蓋部）
１２ａ  上部延出部（延出部）
１２ｂ  下部延出部（延出部）
１４  オス鋲部
１５  溝壁
１６，５１  第一貫通孔
１７，５０  第二貫通孔
２０  軸端
２１，４８  挿軸部
２２  軸頭部
２３  リング孔径
２４  メス鋲部
２５  凹溝部
２８  折曲線
３１  ガイド部材（手指挿入防止部）
３２  挿込片
４６  パッケージ前面部
４７  パッケージ後面部
４９  ホック鋲部
【図１】
2007191210.tif 000003
【図２】
2007191210.tif 000004
【図３】
2007191210.tif 000005
【図４】
2007191210.tif 000006
【図５】
2007191210.tif 000007
【手続補正書】
【提出日】平成18年10月2日(2006.10.2)
【手続補正１】
【補正対象書類名】特許請求の範囲
【補正対象項目名】請求項１
【補正方法】変更
【補正の内容】
【請求項１】
商品の収納される商品収納部を有するパッケージ本体部と、
前記パッケージ本体部の商品取出口を閉塞する閉塞部、及び前記閉塞部の一端から曲折され、少なくとも一つの第一貫通孔が穿設された曲折部を有する蓋部と、
前記パッケージ本体部から延設され、前記蓋部の前記曲折部と当接した状態で前記第一貫通孔に相対する位置に穿設された第二貫通孔を有する延出部と、
互いに相対して位置する前記第一貫通孔及び前記第二貫通孔に挿入される挿軸部、及び前記挿軸部の両軸端に設けられた一対の挟止部を有し、前記延出部及び前記曲折部を挟止する樹脂製のホック鋲部と
を具備することを特徴とする商品パッケージ。
【手続補正２】
【補正対象書類名】特許請求の範囲
【補正対象項目名】請求項２
【補正方法】変更
【補正の内容】
【請求項２】
商品の収納される略筐体状の商品収納部、及びパッケージ前面部及び前記パッケージ後面部を貫設する一対の第二貫通孔を有するパッケージ本体部と、
前記パッケージ本体部の商品取出口を閉塞する閉塞部、及び前記閉塞部の一端から前記パッケージ本体部の内側に曲折され、前記パッケージ後面部に設けられた前記第二貫通孔と相対する第一貫通孔が穿設された曲折部を有する蓋部と、
前記パッケージ前面部に設けられた第二貫通孔、互いに相対して位置する前記第一貫通孔及び前記パッケージ後面部の前記第二貫通孔に前記商品収納部の一部を貫通して挿入される挿軸部、及び前記挿軸部の両軸端に設けられた一対の挟止部を有し、前記パッケージ前面部及び前記パッケージ後面部の間で前記曲折部の移動を禁止する樹脂製のホック鋲部と
を具備することを特徴とする商品パッケージ。
【手続補正３】
【補正対象書類名】明細書
【補正対象項目名】０００９
【補正方法】変更
【補正の内容】
【０００９】
上記の課題を解決するため、本発明の商品パッケージは、「商品の収納される商品収納部を有するパッケージ本体部と、前記パッケージ本体部の商品取出口を閉塞する閉塞部、及び前記閉塞部の一端から曲折され、少なくとも一つの第一貫通孔が穿設された曲折部を有する蓋部と、前記パッケージ本体部から延設され、前記蓋部の前記曲折部と当接した状態で前記第一貫通孔に相対する位置に穿設された第二貫通孔を有する延出部と、互いに相対して位置する前記第一貫通孔及び前記第二貫通孔に挿入される挿軸部、及び前記挿軸部の両軸端に設けられた一対の挟止部を有し、前記延出部及び前記曲折部を挟止する樹脂製のホック鋲部と」を具備するものから主に構成されている。
【手続補正４】
【補正対象書類名】明細書
【補正対象項目名】００１２
【補正方法】変更
【補正の内容】
【００１２】
一方、本発明の商品パッケージは、商品の収納される略筐体状の商品収納部、及びパッケージ前面部及び前記パッケージ後面部を貫設する一対の第二貫通孔を有するパッケージ本体部と、前記パッケージ本体部の商品取出口を閉塞する閉塞部、及び前記閉塞部の一端から前記パッケージ本体部の内側に曲折され、前記パッケージ後面部に設けられた前記第二貫通孔と相対する第一貫通孔が穿設された曲折部を有する蓋部と、前記パッケージ前面部に設けられた第二貫通孔、互いに相対して位置する前記第一貫通孔及び前記パッケージ後面部の前記第二貫通孔に前記商品収納部の一部を貫通して挿入される挿軸部、及び前記挿軸部の両軸端に設けられた一対の挟止部を有し、前記パッケージ前面部及び前記パッケージ後面部の間で前記曲折部の移動を禁止する樹脂製のホック鋲部と」を具備して主に構成されている。
【手続補正５】
【補正対象書類名】明細書
【補正対象項目名】００２７
【補正方法】変更
【補正の内容】
【００２７】
本実施形態の商品パッケージ１は、図１乃至図４に示すように、上端及び下端のそれぞれに商品取出口５ａ，５ｂを有し、商品収納部３が形成された略筐体形状（略直方体形状）のパッケージ本体部６と、パッケージ本体部６の上部商品取出口５ａを閉塞する上部閉塞部７ａ及び上部閉塞部７ａの端部８から曲折された上部曲折部９ａを有する上蓋部１０ａと、同様に下部商品取出口５ｂを閉塞する下部閉塞部７ｂ及び下部閉塞部７ｂの端部８から曲折された下部曲折部９ｂを有する下蓋部１０ｂと、パッケージ本体部６の上端から延設された上部延出部１２ａと、パッケージ本体部６の下端から延設された下部延出部１２ｂと、上部曲折部９ａ及び上部延出部１２ａを積重するように当接させ、表裏（表：図２における紙面左方に相当、裏：図２における紙面右方に相当）から挟み込んで保持する左右一対の上部ホック鋲部２ａと、下部曲折部９ｂ及び下部延出部１２ｂを積重するように当接させ、表裏（上記と同様）から挟み込んで保持する左右一対の下部ホック鋲部２ｂとを具備している。
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
商品の収納される商品収納部を有し、上端及び下端のそれぞれに商品取出口を備える略直方体形状の樹脂製のパッケージ本体部と、
前記パッケージ本体部の上下二カ所の前記商品取出口をそれぞれ閉塞する閉塞部、及び前記閉塞部の一端から前記パッケージ本体部の外側に向かって曲折され、少なくとも一つの第一貫通孔が穿設された曲折部、及び前記閉塞部及び前記曲折部の曲折部分に挿込孔を有する樹脂製の二つの蓋部と、
前記パッケージ本体部から延設され、前記曲折部と当接した状態で前記第一貫通孔に相対する位置に穿設された第二貫通孔、及び先端に前記挿込孔に挿入される挿込片を有する樹脂製の延出部と、
互いに相対して位置する前記第一貫通孔及び前記第二貫通孔に挿入され、軸先端径よりも略中央付近が縮径した凹溝部を有する挿軸部、及び前記挿軸部の一端に取設され、前記第一貫通孔及び前記第二貫通孔より広径に形成された軸頭部を有するオス鋲部、前記挿軸部の前記軸先端径よりも少なくとも一部が狭径のリング孔径を有し、弾性変形によって前記挿軸部の前記凹溝部に嵌合されるリング状のメス鋲部を有し、前記凹溝部に嵌合された前記メス鋲部の嵌合方向と逆方向への移動を規制し、嵌合状態の解除を禁止する解除禁止手段を備え、前記延出部及び前記曲折部を挟止する樹脂製のホック鋲部と
を具備することを特徴とする商品パッケージ。
【請求項２】
前記延出部の側端の一部に設けられ、前記蓋部の前記曲折部を挟込むようにして折返した前記延出部及び前記曲折部の辺縁をカバーし、前記ホック鋲部によって挟止される延出部及び曲折部の間に側方から手指が挿入されることを防止する手指挿入防止部をさらに具備することを特徴とする請求項１に記載の商品パッケージ。
【請求項３】
前記パッケージ本体部及び前記蓋部は、
一枚の樹脂製のシート部材から形成されていることを特徴とする請求項１または請求項２に記載の商品パッケージ。
【請求項４】
前記商品収納部に収納される前記商品は、
刃物類及び工具類の少なくともいずれか一方であることを特徴とする請求項１乃至請求項３のいずれか一つに記載の商品パッケージ。
【手続補正２】
【補正対象書類名】明細書
【補正対象項目名】０００９
【補正方法】変更
【補正の内容】
【０００９】
上記の課題を解決するため、本発明の商品パッケージは、「商品の収納される商品収納部を有し、上端及び下端のそれぞれに商品取出口を備える略直方体形状の樹脂製のパッケージ本体部と、前記パッケージ本体部の上下二カ所の前記商品取出口をそれぞれ閉塞する閉塞部、及び前記閉塞部の一端から前記パッケージ本体部の外側に向かって曲折され、少なくとも一つの第一貫通孔が穿設され曲折部、及び前記閉塞部及び前記曲折部の曲折部分に挿込孔を有する樹脂製の二つの蓋部と、前記パッケージ本体部から延設され、前記曲折部と当接した状態で前記第一貫通孔に相対する位置に穿設された第二貫通孔、及び先端に前記挿込孔に挿入される挿込片を有する樹脂製の延出部と、互いに相対して位置する前記第一貫通孔及び前記第二貫通孔に挿入され、軸先端径よりも略中央付近が縮径した凹溝部を有する挿軸部、及び前記挿軸部の一端に取設され、前記第一貫通孔及び前記第二貫通孔より広径に形成された軸頭部を有するオス鋲部、前記挿軸部の前記軸先端径よりも少なくとも一部が狭径のリング孔径を有し、弾性変形によって前記挿軸部の前記凹溝部に嵌合されるリング状のメス鋲部を有し、前記凹溝部に嵌合された前記メス鋲部の嵌合方向と逆方向への移動を規制し、嵌合状態の解除を禁止する解除禁止手段を備え、前記延出部及び前記曲折部を挟止する樹脂製のホック鋲部と」を具備するものから主に構成されている。
【手続補正３】
【補正対象書類名】明細書
【補正対象項目名】００１２
【補正方法】変更
【補正の内容】
【００１２】
さらに、本発明の商品パッケージによれば、挿軸部に取設された軸頭部を有するオス鋲部と、挿軸部に嵌合されるメス鋲部とによって曲折部及び延出部等の当接状態が保持される。なお、軸頭部及びメス鋲部がそれぞれ前述の一対の挟止部に相当する。さらに、本発明に使用されるホック鋲部は、メス鋲部の嵌合方向とは逆方向への移動を規制する解除禁止手段が設けられている。すなわち、弾性変形によって嵌合されたメス鋲部は、再び弾性変形させたとしても嵌合を解除することができない仕掛けが施されている。例えば、軸径が縮径した凹溝部の溝壁部分をメス鋲部の嵌合方向に若干傾斜させる構成とすることにより、嵌合方向と逆方向への移動が規制され、一度、凹溝部に嵌合されたメス鋲部は、かかる嵌合状態を容易に解除することができなくなる。すなわち、解除が禁止されることとなる。その結果、一度、凹溝部と嵌合した第二挟止部は二度と元に戻らなくなり、係る部位をハサミ等の切断工具で切断するしかない。すなわち、ホック鋲部によって曲折部及び延出部が当接状態にされたものは、該ホック鋲部を破壊しないかぎり、係る当接状態を解除することができない。そのため、店舗内等で商品を取出すことができる可能性が低くなる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
さらに、本発明の商品パッケージは、上記構成に加え、「前記延出部の側端の一部に設けられ、前記蓋部の前記曲折部を挟込むようにして折返した前記延出部及び前記曲折部の辺縁をカバーし、前記ホック鋲部によって挟止される延出部及び曲折部の間に側方から手指が挿入されることを防止する手指挿入防止部を」具備するものであっても構わない。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】図面
【補正対象項目名】図３
【補正方法】変更
【補正の内容】
【図３】
2007191210.tif 000008